(57)【要約】【課題】長尺材の水平吊りを安全且つ安定的にできる玉掛け吊り具の提供。【解決手段】この玉掛け吊り具１０は、クレーンに連結されるマスターリング１２と、マスターリング１２に連結された一対のワイヤロープ１４と、一対のワイヤロープ１４の下端に連結された一対のフック１６と、ワイヤロープ１４の両端の間でワイヤロープ１４を摺動可能に支持する一対の支持具２０と、マスターリング１２に支持されており、この一対の支持具２０が所定の間隔で離れて位置するように付勢しており、この付勢に抗して間隔を変更可能にして、一対の支持具２０を支持する付勢体１８とを備えている。【選択図】図１
2014237524.tif 000002
【特許請求の範囲】
【請求項１】
マスターリングと、
このマスターリングに連結された一対のワイヤロープと、
この一対のワイヤロープの下端に連結された一対のフックと、
このワイヤロープの両端の間でワイヤロープを摺動可能に支持する一対の支持具と、    このマスターリングに支持されており、この一対の支持具が所定の間隔で離れて位置するように付勢しており、この付勢に抗して間隔を変更可能にして、一対の支持具を支持する付勢体と
を備えている玉掛け吊り具。
【請求項２】
上記付勢体が錘を備えており、
この錘が、一対の支持具を互いに離れる向きに付勢している請求項１に記載の玉掛け吊り具。
【請求項３】
上記付勢体が弾性体を備えており、
この弾性体が、一対の支持具を互いに離れる向きに付勢している請求項１に記載の玉掛け吊り具。
【請求項４】
上記付勢体が一対のアームと、アームの一端を他端に対して回動可能にして他端を支持する支持板とを備えており、
このアームの一端に支持具が支持されている請求項１から３のいずれかに記載の玉掛け吊り具。
【請求項５】
上記支持板が一対のアームの他端を上下方向に移動可能に支持している請求項４に記載の玉掛け吊り具。
【請求項６】
上記付勢体がビームを備えており、
このビームがその長手方向に一対の支持具を摺動可能に支持している請求項１から３のいずれかに記載の玉掛け吊り具。
【発明の詳細な説明】
【技術分野】
【０００１】
本発明は、長尺材を吊り上げる玉掛け吊り具に関する。
【背景技術】
【０００２】
鋼材、鋼管、圧延機の圧延ロール等の長尺の重量物は、クレーン等で運搬される。クレーン等での運搬では、玉掛け吊り具が使用されている。この玉掛け吊り具として、種々のものが使用されている。
【０００３】
例えば、一対のワイヤロープからなる玉掛け吊り具が使用されている。この吊り具では、一対のワイヤロープの両端がクレーンフックに係止されている。この一対のワイヤロープが、その両端の間で長尺材の外周に掛け渡される。この一対のワイヤロープは、長尺材の長手方向に互いに離れた位置で長尺材に掛け渡される。この様にして、一対のワイヤロープにより、長尺材が吊り上げられる。この吊り具では、長尺材を水平に保つため、一対のワイヤロープの吊り位置の調整が重要である。この吊り位置の調整は手作業でされる。この吊り位置の調整は、安全のため、十分な注意が要求される。この吊り位置の調整は、手間が掛かる。
【０００４】
特開平８−１３３６５９公報には、水平ビームを用いた吊り具が示されている。この吊り具では、クレーンフックに、その長手方向を水平方向にして水平ビームが吊り下げられる。この水平ビームから一対のワイヤロープが間隔を開けて吊り下げられる。この一対のワイヤロープが長手方向に離れた位置で長尺材を吊り上げる。この吊り具は、水平ビームにより一対のワイヤロープの間隔が維持される。これにより、一対のワイヤロープの間隔の調節が容易にされている。
【先行技術文献】
【特許文献】
【０００５】
【特許文献１】特開平８−１３３６５９公報
【非特許文献】
【０００６】
【非特許文献１】中央労働災害防止協会発行の「安全衛生のひろば  ２０１３．４」                    １５頁−１９頁
【発明の概要】
【発明が解決しようとする課題】
【０００７】
特開平８−１３３６５９公報の水平ビームを用いた吊り具では、水平ビームが吊り下げられ、更にその水平ビームからワイヤロープが吊り下げられる。このため、クレーンフックからワイヤロープの下端までの距離が大きくなる。このような吊り具は、高さ制限のある場所、例えば屋内等では、作業性に劣る。また、この吊り具では、一対のワイヤーロープの一方に大きな荷重が作用すると、水平ビームの振れや回転を生じる恐れがある。安全性の向上の観点から、この水平ビームの振れや回転の発生を抑制することが望まれる。
【０００８】
図９には、従来の吊り具を改良した吊り具１が示されている。この吊り具１は、マスターリング２と、マスターリング２に連結された一対のワイヤロープ３と、一対のワイヤロープ３の間隔を一定に保持する間隔保持具４を備えている。この間隔保持具４により、ワイヤロープ３の間隔の調節が容易にされている。この吊り具１では、ワイヤロープ３の上端がマスターリング２に連結されている。マスターリング２がクレーンフックに連結される。この吊り具１では、水平ビームを介して連結する必要がない。これにより、クレーンフックからワイヤロープ３の下端までの距離が小さくされうる。この吊り具１は高さ制限を受け難く、作業性に優れる。
【０００９】
この吊り具１では、間隔保持具４の長さが短いと、一対のワイヤロープ２の間隔調整に手間が掛かる。この間隔保持具４の長さが長いと、長尺材を吊り下げたときに、一対のワイヤロープ３が間隔保持具４に座屈荷重を負荷する。この座屈荷重が大きいと、間隔保持具４が座屈変形する恐れがある。この座屈荷重により間隔保持具４が座屈し、その後に元の形状に急激に戻り、間隔保持具４が跳ね上がり、間隔保持具４が大きく振れる恐れがある。間隔保持具の変形や振れは、吊り下げられた長尺材の振れを招く。場合によっては、吊り下げられた長尺材の落下の恐れがある。
【００１０】
本発明の目的は、作業性に優れ、且つ安全性に優れた長尺材の吊り具の提供にある。
【課題を解決するための手段】
【００１１】
本発明に係る玉掛け吊り具は、マスターリングと、このマスターリングに連結された一対のワイヤロープと、この一対のワイヤロープの下端に連結された一対のフックと、ワイヤロープの両端の間でワイヤロープを摺動可能に支持する一対の支持具と、このマスターリングに支持されており、この一対の支持具が所定の間隔で離れて位置するように付勢しており、この付勢に抗して間隔を変更可能にして、一対の支持具を支持する付勢体とを備えている。
【００１２】
好ましくは、上記付勢体は、錘を備えている。この錘は、一対の支持具を互いに離れる向きに付勢している。
【００１３】
好ましくは、上記付勢体は、弾性体を備えている。この弾性体は、一対の支持具を互いに離れる向きに付勢している。
【００１４】
好ましくは、上記付勢体が一対のアームと、アームの一端を他端に対して回動可能にして他端を支持する支持板とを備えている。このアームの一端に支持具が支持されている。
【００１５】
好ましくは、支持板は、上記一対のアームの他端を上下方向に移動可能に支持している。
【００１６】
好ましくは、上記付勢体は、ビームを備えている。このビームは、その長手方向に一対の支持具を摺動可能に支持している。
【発明の効果】
【００１７】
本発明に係る玉掛け吊り具では、支持具により一対のワイヤロープが所定の間隔で離れて位置する。これにより、長尺材の吊り位置の調整が容易にされている。この長尺材吊り具では、長尺材を吊り上げた状態で、一対の支持具の間隔が変更可能されている。この吊り具は、作業性に優れ、且つ安全性に優れている。
【図面の簡単な説明】
【００１８】
【図１】図１は、本発明の一実施形態に係る吊り具が示された正面図である。
【図２】図２は、図１のII−II線に沿った断面図である。
【図３】図３は、図１の吊り具の使用状態が示された説明図である。
【図４】図４は、図１の吊り具の他の使用状態が示された正面図である。
【図５】図５は、本発明の他の実施形態に係る吊り具が示された正面図である。
【図６】図６は、本発明の更に他の実施形態に係る吊り具が示された正面図である。
【図７】図７は、本発明の更に他の実施形態に係る吊り具が示された正面図である。
【図８】図８は、本発明の更に他の実施形態に係る吊り具が示された正面図である。
【図９】図９は、従来の吊り具を改良した吊り具が示された正面図である。
【発明を実施するための形態】
【００１９】
以下、適宜図面が参照されつつ、好ましい実施形態に基づいて本発明が詳細に説明される。
【００２０】
図１に示された吊り具１０は、マスターリング１２、一対のワイヤロープ１４、一対のフック１６、付勢体１８及び一対の支持具２０を備えている。図２は、図１のII−II線に沿った断面が示されている。以下の説明では、便宜上、図１の上下方向を上下方向として、左右方向を左右方向として、図２の左右方向を前後方向をして説明がされる。
【００２１】
マスターリング１２は、上端部１２ａと、下端部１２ｂと、この上端部１２ａと下端１２ｂとの間の連続部１２ｃとからなっている。この上端部１２ａと下端部１２ｂとが円弧状に屈曲している。このマスターリング１２は、上端１２ａと下端部１２ｂとが直接に接続されて円形のリング形状であってもよい。
【００２２】
一対のワイヤロープ１４は、それぞれロープ本体１４ａと、シャックル１４ｂとを備えている。ロープ本体１４ａの上下両端には、アイ１４ｃが形成されている。シャックル１４ｂは、ロープ本体１４ａの下端のアイ１４ｃに連結されている。このワイヤロープ１４では、下端にシャックル１４ｂが位置している。
【００２３】
フック１６は、鍵型に屈曲したフック本体１６ａと、ラッチ１６ｂと、連結部１６ｃとを備えている。ラッチ１６ｂは、フック本体１６ａに回動可能に軸着されている。ラッチ１６ｂが回動して、フック本体１６ａの鍵型開口を開閉している。図示されないが、フック１６はロックを備えていてもよい。ロックは、ラッチ１６ｂがフック本体１６ａの鍵型開口を閉じた状態で、ラッチ１６ｂの回動を規制する。このフック本体１６ａの上部に連結部１６ｃが連結されている。
【００２４】
付勢体１８は、前後一対の支持板２２、一対のリング連結ピン２４、一対のロープ連結ピン２６、一対のアーム２８、軸３０及び錘３２を備えている。
【００２５】
前後一対の支持板２２は、同じ形状を備えている。図２に示される様に、一対の支持板２２は、前後方向に間隔を開けて対向して配置されている。図１に示される様に、一対の支持板２２の中央には、摺動溝３４が形成されている。この摺動溝３４は、上下方向を長手方向にした長孔として形成されている。この摺動溝３４は、支持板２２を貫通する長孔として形成されている。
【００２６】
図１及び図２に示される様に、一対のリング連結ピン２４は、一対の支持板２２の間に挟まれて固定されている。リング連結ピン２４は、支持板２２の上部に位置している。リング連結ピン２４は、摺動溝３４の上方に位置している。
【００２７】
一対のロープ連結ピン２６は、一対の支持板２２の間に挟まれて固定されている。ロープ連結ピン２６は、リング連結ピン２４の下方に位置している。ロープ連結ピン２６は、摺動溝３４を間にして、摺動溝３４の左右外側に位置している。
【００２８】
一対のアーム２８は、それぞれ前後一対のアーム板２８ａと、連結板２８ｂと、支持具取付部としての取付孔２８ｃ及び２８ｄとを備えている。この連結板２８ｂは、前後に対向する一対のアーム板２８ａを一体に連結して固定している。取付孔２８ｃ及び２８ｄとは、アーム２８の一端に設けられている。取付孔２８ｃ及び２８ｄとは、支持具２０が取り付けられる部分である。アーム２８の他端には、軸孔２８ｄが形成されている。この軸孔２８ｄは、前後方向を軸線方向として前後一対のアーム板２８ａを貫通している。
【００２９】
一対の錘３２の形状は、それぞれ円筒形である。錘３２は、軸孔３２ａが形成されている。この軸孔３２ａは、錘３２の円筒形の軸線上に形成されている。
【００３０】
この一対の支持具２０は、それぞれ支持ピン３６及び案内ピン３８を備えている。支持ピン３６及び案内ピン３８は、断面が円形の丸棒形状に形成されている。支持ピン３６は、取付孔２８ｃに固定されている。案内ピン３８は、取付孔２８ｄに固定されている。図１において、案内ピン３８は、支持ピン３６の左右方向外側に固定されている。
【００３１】
この吊り具１０では、マスターリング１２に一対のリング連結ピン２４が通されている。これにより、付勢体１８がマスターリング１２に連結されている。
【００３２】
軸３０は、一対のアーム２８の軸孔２８ｄに通されている。一対のアーム２８は、軸３０により、他端に対して一端を回動可能にされている。この軸３０は、支持板２２に形成された摺動溝３４に通されている。支持板２２は、前後方向において一対のアーム２８を間に位置させている。錘３２の軸孔３２ａに軸３０が通されている。一対の錘３０は、前後方向において一対の支持板２２及び一対のアーム２８を間に位置させている。この一対の錘３２は、軸３０から抜け止めされている。この軸３０は、摺動溝３４に沿って上下方向に移動可能にされている。
【００３３】
ワイヤロープ１４の上端のアイ１４ｃにロープ連結ピン２６が通される。これにより、ワイヤロープ１４は付勢体１８に連結されている。このワイヤロープ１４は、付勢体１８を介してマスターリング１２に連結されている。このワイヤロープ１４がマスターリング１２に直接連結されていてもよい。
【００３４】
ロープ本体１４ａは、支持ピン３６と案内ピン３８と前後一対の支持板２２とが形成する通し孔に通されている。この支持ピン３６は、ワイヤロープ本体１４ａを、ワイヤロープ本体１４ａの長手方向に摺動可能に支持している。このワイヤロープ１４の他端のアイ１４ｃに連結されたシャックル１４ｂに、フック１６の連結部１６ｃが連結されている。
【００３５】
図３には、吊り具１０と、この吊り具１０のフック１６に連結されたワイヤロープ４０と、長尺材４２とが示されている。長尺材４２の外周にワイヤロープ４０が掛けられている。このワイヤロープ４０の両端がフック１６に係合されている。このワイヤロープ４０は弛んでいる。図３では、ワイヤロープ４０は比較的に長くしている。フック１６が長尺材４２に接近するように、ワイヤロープ４０が短くてもよい。図３には、吊り具１０により、長尺材４２が吊り上げられる前の状態が示されている。図３の両矢印θは、一対のアーム２８がなす角度を示している。この角度θは、一方のアーム２８の長手方向に延びる軸線と他方のアーム２８の長手方向に延びる軸線との交差角度として測定される。この角度θは、１８０未満にされている。
【００３６】
軸３０は、錘３２により、下方に付勢されている。軸３２は、摺動溝３４の下端に位置している。支持具２０の支持ピン３６は、ワイヤロープ本体１４ａの下端近傍を支持している。この支持ピン３６は、ワイヤロープ本体１４ａに対して、更に下方に摺動しない位置にある。このため、一対のアーム２８の他端が摺動溝３４の下端に位置することで、一対のアーム２８の一端がその間隔が開く向きに回動している。この吊り具１０では、錘３２の付勢力により、一対の支持具２０が離れる向きに付勢されている。
【００３７】
図４には、吊り具１０により、長尺材４２が吊り下げられた状態が示されている。長尺材４２の質量により、ワイヤロープ４０がその長手方向に引かれている。ワイヤロープ１４は、このワイヤロープ４０により引かれている。ワイヤロープ本体１４ａが一直線状に延びる方向に力を受けている。このワイヤロープ１４は、支持ピン３６の間隔を狭める向きに、錘３２の付勢力に抗して、一対のアーム２８を回動させている。このアーム２８の回動により、軸３０及び錘３２は、摺動溝３４に沿って上方に移動している。
【００３８】
この吊り具１０の使用方法が説明される。マスターリング１２が図示されないクレーンフックに係合される。吊り具１０は、図１の状態にある。作業者が長尺材４２にワイヤロープ４０を掛ける。ワイヤロープ４０の両端をフック１６に係合させる。この様にして、図３に示される状態になる。
【００３９】
クレーンにより、マスターリング１２が上向きに引き上げられる。長尺材４２が吊り上げられる。ワイヤロープ１４及びワイヤロープ４０に張力が働く。ワイヤロープ１４に張力が働くことで、一対のアーム２８は、角度θが小さくなる向きに回動する。一対のアーム２８の回動により、錘３２が押し上げられる。この様にして、支持具２０の間隔が狭められ、図４の状態に至る。
【００４０】
この吊り具１０では、長尺材４２を吊り上げるまで、付勢体１８の錘３２の付勢力により、一対の支持具２０が離されているので、ワイヤロープ４０の間隔の調節が容易にされている。この吊り具１０は、ワイヤロープ４０の位置調整が容易にされている。
【００４１】
吊り具１０は、例えば、図３の長尺材４２が吊り上げられる前の状態で、フック１６の間隔は０．７ｍ以上０．９ｍ以下にされている。ワイヤロープ４０の間隔が０．７ｍ以上０．９ｍ以下にされている。全長が３．５ｍから８ｍの長尺材では、ワイヤロープ４０の間隔は、０．７ｍ以上０．９ｍ以下にされることが好ましい。この吊り具１０は、全長が３．５ｍから８ｍの長尺材の運搬に特に適している。
【００４２】
支持具２０は、付勢体１８の錘３２の付勢力に抗して、互いの間隔を変更可能にされている。支持具２０は、ワイヤロープ１４を摺動可能に支持している。ワイヤロープ１４に張力が作用すると、支持具２０の互いの間隔が狭くなる。これにより、ロープの張力が作用することによる、付勢体１８の振れが抑制され、付勢体１８の破損が抑制される。吊り下げられた長尺材の振れが抑制される。この吊り具１０は、より安全に長尺材を運搬出来る。
【００４３】
このワイヤロープ本体１４ａは、支持具２０の位置で大きく屈曲している。ワイヤロープ１４に張力が作用すると、ワイヤロープ１４が支持具２０に対して摺動する。支持具２０の間隔が狭くなり、ワイヤロープ本体１４ａの屈曲が小さくなる。これにより、ワイヤロープ本体１４ａの摺動による損傷が抑制されている。この吊り具１０では、図４に示されるように、ワイヤロープ１４は直線状に延びている。これにより、ワイヤロープ１４の損傷が一層抑制されている。
【００４４】
この支持板２２は、一対のアーム２８の他端を上下方向に移動可能に支持している。一対のアーム２８が回動して角度θが小さくなると、アーム２８の他端が錘３２と共に上方に移動している。アーム２８の他端が上方に移動することで、支持具２０とワイヤロープ本体１４ａとの摺動距離が小さくされている。これにより、ワイヤロープ１４の損傷が一層抑制されている。
【００４５】
更に、支持具２０とワイヤロープ１４との摺動距離が小さいので、ワイヤロープ１４を短くできる。これにより、吊り具１０の高さが小さく出来る。この吊り具１０は、小型化しうるので、室内など限られた空間での取り回しがし易い。この吊り具１０は、室内クレーンへの使用に特に適している。
【００４６】
図５には、他の実施形態に係る吊り具４４が示されている。ここでは、吊り具１０と異なる構成について説明がされる。吊り具１０と同様の構成については、その説明が省略される。ここでは、吊り具１０と同様の構成については、同じ符号を用いて説明がされる。
【００４７】
この吊り具４４は、吊り具１０と同様に、マスターリング１２及び一対のフック１６を備えている。吊り具４４は、更に、一対のワイヤロープ４６、付勢体４８及び一対の支持具５０を備えている。
【００４８】
一対のワイヤロープ４６は、それぞれ一対のロープ本体４６ａと、ロープ本体４６ａの一端に連結されるシャックル４６ｂと、その他端に連結されるシャックル４６ｃとを備えている。ロープ本体４６ａの両端には、アイ４６ｄが形成されている。シャックル４６ｂは、ロープ本体４６ａの一端のアイ４６ｄに連結されている。この一端のシャックル４６ｂがマスターリング１２に連結されている。シャックル４６ｃは、ロープ本体４６ａの他端のアイ４６ｄに連結されている。他端のシャックル４６ｃがフック１６に連結されている。
【００４９】
付勢体４８は、支持板５２と、連結リング５４と、一対のアーム５６と、軸５８と、弾性体としてのガスシリンダー６０と、閉限ストッパー６２と、一対の開限ストッパー６４とを備えている。
【００５０】
支持板５２は、図示されないが、Ｕ字に屈曲した板形状を備えている。このＵ字の開口を下向きしている。この支持板５２は、Ｕ字の対向する一対の平板部５２ａを備えている。一対の平板部５２ａの上端が、屈曲部５２ｂを介して連続している。この屈曲部５２ｂから上方に延びる突起５２ｃが形成されている。
【００５１】
軸５８は、支持板５２の一対の平板部５２ａの間に配置されている。軸５８は、一対の平板部５２ａに固定されている。閉限ストッパー６２は、軸５８の下方に配置されている。閉限ストッパー６２は、一対の平板部５２ａの間に配置され、一対の平板部５２ａに固定されている。一対の開限ストッパー６４は、軸５８の左右外側に配置されている。開限ストッパー６４は、一対の平板部５２ａの左右側面を連結しており、一対の平板部５２ａの側面に固定されている。  
【００５２】
一対のアーム５６は、それぞれアーム板５６ａを備えている。アーム板５６ａの一端に、取付孔５６ｂが形成されている。アーム板５６ａの他端には、軸孔５６ｃが形成されている。アーム板５６ａには、その長手方向において、取付孔５６ｂと軸孔５６ｃとの間に、取付ピン５６ｄが固定されている。
【００５３】
軸５８が一対のアーム５６の軸孔５６ｃに通されている。一対のアーム５６は、支持板５２に軸着されている。アーム５６は、他端に対して一端が回動可能にされている。一対のアーム５６が互いに近付く向きに回動すると、閉限ストッパー６２に当接する。アーム５６が互いに離れる向きに回動すると、開限ストッパー６４に当接する。
【００５４】
ガスダンパー６０は、シリンダー６０ａとピストンロッド６０ｂとを備えている。ピストンロッド６０ｂは、シリンダー６０ａに摺動可能に挿入されている。このシリンダー６０ａとピストン６０ｂとの間にガスが密封されている。シリンダー６０ａの取付部が一方のアーム５６の取付ピン５６ｄに軸着されている。ピストンロッド６０ｂの取付部が他方のアーム５６の取付ピン５６ｄに軸着されている。弾性体としてのガスシリンダー６０の付勢力により、一対のアーム５６が開限ストッパー６４に当接している。このガスダンパー６０に代えて、他の弾性体、例えばコイルばね等が使用されてもよい。
【００５５】
一対の支持具５０は、それぞれ支持ローラ６６及び案内板６８を備えている。支持ローラ６６は、アーム板５６ａの取付孔５６ｃに回転可能に取り付けられる。案内板６８は、アーム板５６ａの一端に固定されている。このアーム板５６ａとローラ６６と案内板６８とにが通し孔を形成している。この通し孔に、ロープ本体４６ａが通されている。ロープ本体４６ａは、ローラ６６に接して支持されている。
【００５６】
連結リング５４は、マスターリング１２に連結されている。連結リング５４は、突起５２ａとも連結されている。これにより、付勢体４８は、マスターリング１２に連結されている。付勢体４８は、マスターリング１２に支持されている。
【００５７】
このマスターリング１２は、クレーンのフックに連結される。長尺材４２が吊り上げられると、ワイヤロープ４６に張力が働く。この張力により、支持具５０の間隔が狭められる。ワイヤロープ４６に張力が働くことで、一対のアーム５６は、互いに近付く向きに回動する。この張力により、ガスシリンダー６０の付勢力に抗して、アーム５６は互い近付く向きに回動する。
【００５８】
支持具５０は、ワイヤロープ４６を摺動可能に支持している。アーム５６が回動することで、ワイヤロープ４６は支持具５０に対して摺動する。この吊り具４４では、ローラ６６が回転することでスムーズに摺動する。この吊り具４４でも、ワイヤロープ４６の損傷が抑制されている。
【００５９】
この吊り具４４は、前述の吊り具１０に比べて、支持具５０に対するワイヤロープ４６の摺動距離は長くなるが、吊り具１０と同様に、ワイヤロープ４０の位置調整が容易にされており、より安全に長尺材を運搬出来、ワイヤロープ１４の損傷が抑制されている。更に、従来の水平ビームを用いた吊り具に比べ、吊り具４４の高さが小さく出来る。
【００６０】
図６には、更に他の実施形態に係る吊り具７０が示されている。ここでは、吊り具４４と異なる構成について説明がされる。吊り具４４と同様の構成については、その説明が省略される。ここでは、吊り具４４と同様の構成については、同じ符号を用いて説明がされる。
【００６１】
この吊り具７０は、吊り具４４と同様に、一対のフック１６及び一対のワイヤロープ４６を備えている。この吊り具７０は、更に、マスターリング７２、付勢体７４及び一対の支持具７６を備えている。
【００６２】
マスターリング７２は、円形のリング形状を備えている。このマスターリング７２に、ワイヤロープ４６の上端のシャックル４６ｂが連結されている。
【００６３】
付勢体７４は、ビーム７８、ワイヤローラ８０、ワイヤ８２及び錘８４を備えている。図示されないが、ビーム７８は、マスターリング７２に連結されている。ビーム７８は、マスターリング７２に支持されている。ビーム７８には、左右一対の長溝７８ａが形成されている。ビーム７８の左右両端部に、ワイヤローラ８０が回転可能に取り付けられている。錘８４がローラの下方に位置している。ワイヤ２８の一端がこの錘８４に連結されている。このワイヤ２８の他端が支持具７６に連結されている。ワイヤ２８は、両端の間でワイヤローラ８２０支持されている。
【００６４】
支持具７６は、円管形状の本体７６ａと、この本体７６の前後に取り付けられたガイドローラ７６ｂとを備えている。このガイドローラ７６ａは、ビーム７８の長溝７８ａに沿って左右方向に移動可能に、且つ回転可能に支持されている。これにより、支持具７６は、ビーム７８に、左右方向に移動可能に且つ回動可能に支持されている。この支持具７６の本体７６ａの貫通孔にワイヤロープ４６のロープ本体４６ａが長手方向に摺動可能に通されている。
【００６５】
この吊り具７０では、錘８４の付勢力により、支持具７６が所定の間隔だけ離れる向きに付勢されている。
【００６６】
この吊り具７０は、前述の吊り具４４と同様に、ワイヤロープ４６の位置調整が容易にされており、より安全に長尺材を運搬出来、ワイヤロープ４６の損傷が抑制されており、従来の水平ビームを用いた吊り具に比べ吊り具７０の高さが小さく出来る。
【００６７】
図７には、更に他の実施形態に係る吊り具８６が示されている。ここでは、吊り具７０と異なる構成について説明がされる。吊り具７０と同様の構成については、その説明が省略される。吊り具７０と同様の構成については、同じ符号を用いて説明がされる。
【００６８】
この吊り具８６では、付勢体７４に代えて、付勢体８８を備えている。付勢体８８は、付勢体７４と同様に、ビーム７８を備えている。付勢体８８は、ボビン９０と、ワイヤ９２と、図示されない弾性体としての渦巻きバネを備えている。ビーム７８の左右両端部に、ボビン９０が回転可能に取り付けられている。このボビン９０の外周に、ワイヤ９２が巻かれている。このボビン９０に、渦巻きバネが内蔵されている。渦巻きバネの一端がビーム７８に連結され、他端がボビン９０に連結されている。これにより、ボビン９０が回転すると、渦巻きバネの付勢力により、ボビン９０を回転前の姿勢位置に戻す回転力が生じるようにされている。ボビン９０に巻かれたワイヤの一端が支持具７６に連結されている。
【００６９】
この吊り具８６では、渦巻きバネの付勢力により、支持具７６が所定の間隔だけ離れる向きに付勢されている。
【００７０】
この吊り具８６は、前述の吊り具７０と同様に、ワイヤロープ４６の位置調整が容易にされており、より安全に長尺材を運搬出来、ワイヤロープ４６の損傷が抑制されており、従来の水平ビームを用いた吊り具に比べ吊り具８６の高さが小さく出来る。
【００７１】
図８には、更に他の実施形態に係る吊り具９４が示されている。ここでは、吊り具７０と異なる構成について説明がされる。吊り具７０と同様の構成については、その説明が省略される。吊り具７０と同様の構成については、同じ符号を用いて説明がされる。
【００７２】
この吊り具９４は、吊り具７０と同様に、一対のフック１６、一対のワイヤロープ４６、マスターリング７２及び一対の支持具７６を備えている。この吊り具９４は、付勢体７４に代えて付勢体９６を備えている。
【００７３】
付勢体９６は、ビーム９８と、弾性体としてのコイルばね１００とを備えている。ビーム９８は、マスターリング７２に連結されて、支持されている。このビーム９８の左右両端部に、コイルばね１００の一端が連結されている。支持具７６にコイルばね１００の他端が連結されている。この支持具７６は、コイルばね１００の他端に対して回動可能に取り付けられている。
【００７４】
この吊り具９４では、コイルばね１００の付勢力により、支持具７６が所定の間隔だけ離れる向きに付勢されている。この吊り具９４は、簡易な構成で、ワイヤロープ４６の間隔の調節が容易にされている。
【００７５】
この吊り具９４は、前述の吊り具７０と同様に、ワイヤロープ４６の位置調整が容易にされており、より安全に長尺材を運搬出来、ワイヤロープ４６の損傷が抑制されており、従来の水平ビームを用いた吊り具に比べ吊り具９４の高さが小さく出来る。
【００７６】
更に、この吊り具９４のコイルばね１００に代えて、吊り具７０と同様に錘により付勢力が付加されてもよい。例えば、錘に一端が連結されたワイヤの他端を支持具７６に連結する。ビーム７８の両端にローラを取り付ける。このローラがワイヤの両端の間を支持する。この様にして、錘が下方に下がると、ワイヤを介して、支持具７６が上方に移動するように構成してもよい。
【産業上の利用可能性】
【００７７】
以上説明された吊り具は、長尺材の吊り具として広く適用されうる。
【符号の説明】
【００７８】
１０、４４、７０、８６、９４・・・吊り具
１２・・・マスターシリンダー
１４、４６・・・ワイヤロープ
１６・・・フック
１８、４８、７４、８８、９６・・・付勢体
２０、５０、７６・・・支持具
２２、５２・・・支持板
２４・・・リング連結ピン
２６・・・ロープ連結ピン
２８、５６・・・アーム
３０、５８・・・軸
３２、８４・・・錘
３４・・・摺動溝
３６・・・支持ピン
３８・・・案内ピン
４０・・・ワイヤロープ
４２・・・長尺材
５４・・・連結リング
６０・・・ガスシリンダー
６２・・・閉限ストッパー
６４・・・開限ストッパー
６６・・・ローラ
６８・・・案内板
７２・・・マスターリング
７８、９８・・・ビーム
８０・・・ワイヤローラ
８２、９２・・・ワイヤ
９０・・・ボビン
１００・・・コイルばね
【図１】
2014237524.tif 000003
【図２】
2014237524.tif 000004
【図３】
2014237524.tif 000005
【図４】
2014237524.tif 000006
【図５】
2014237524.tif 000007
【図６】
2014237524.tif 000008
【図７】
2014237524.tif 000009
【図８】
2014237524.tif 000010
【図９】
2014237524.tif 000011